(57)【要約】      （修正有）【課題】立体形状とされた振り分け部材の立体内部で行うとともに、振り分け確率を変更することで、目新しさや意外性があり、興趣性の高い振り分け遊技を提供する。【解決手段】光透過性を有してその立体内部が外部より視認可能とされた立体形状の振り分け部材３６と、振り分け部材の傾斜角度を変化させる駆動手段３８と、遊技媒体の入賞が抽選の契機となる抽選入賞口と、抽選入賞口への入賞を契機として、通常遊技より遊技者に有利な状態である特別遊技へ移行するか否かを判定するための当否抽選を実行する当否抽選手段とを備え、遊技領域を流下する遊技媒体を立体内部に受け入れる流入口３６ａと、立体内部の遊技媒体を立体外部に流出させる複数の流出口５４ａ〜５４ｃと、立体内部に配置され、流入口より受け入れた遊技媒体を各流出口へと振り分ける振り分け部５２ａ〜５２ｃとを有し、制御手段は振り分け部材の傾斜角度を変化させる。【選択図】図２
2008237456.tif 000002
【特許請求の範囲】
【請求項１】
遊技媒体の流下による遊技を実現する遊技領域が形成された遊技装置体と、
前記遊技領域の所定位置に設けられてかつ光透過性を有してその立体内部が外部より視認可能とされた立体形状の振り分け部材と、
該振り分け部材の傾斜角度を変化させる駆動手段と、
該駆動手段を制御する制御手段と、
前記遊技領域の所定位置に設けられ、遊技媒体の入賞が抽選の契機となる抽選入賞口と、
前記抽選入賞口への入賞を契機として、通常遊技より遊技者に有利な状態である特別遊技へ移行するか否かを判定するための当否抽選を実行する当否抽選手段と、を備え、
前記振り分け部材は、前記遊技領域を流下する遊技媒体を前記立体内部に受け入れる流入口と、
前記立体内部の遊技媒体を立体外部に流出させる複数の流出口と、
前記立体内部に配置され、前記流入口より受け入れた前記遊技媒体を前記各流出口へと振り分ける振り分け部と、を有し、
前記制御手段は、前記当否抽選の結果が当たりである場合に、前記駆動手段を制御して前記振り分け部材の傾斜角度を変化させる遊技機。
【請求項２】
前記制御手段は、前記振り分け部材の傾斜角度を変化させるように前記駆動手段を制御することにより、前記遊技領域を流下する遊技媒体を前記流出口から立体内部に受け入れるとともに、立体内部に受け入れた遊技媒体を前記流入口から前記立体外部に流出させる請求項１に記載の遊技機。
【請求項３】
前記振り分け部材は、前記抽選入賞口の上方に配置され、
前記制御手段は、前記当否抽選手段の結果が当たりである場合に、前記振り分け部材の傾斜角度を変化させるように前記駆動手段を制御して、前記抽選入賞口への入賞確率を変化させる請求項１又は請求項２に記載の遊技機。
【発明の詳細な説明】
【技術分野】
【０００１】
本発明は、遊技機に係り、立体形状とされた振り分け部材によって、意外性があり面白みのある遊技演出を行うことができる遊技機に関する。
【背景技術】
【０００２】
パチンコ機等の弾球遊技機（以下、遊技機という。）では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このような遊技機においては、遊技盤面上を流下し、入賞口やアウト口に流入するまでの間の球の挙動に変化を与えることで、球の挙動に意外性を加味して、遊技の面白みを高めることが行われている。
【０００４】
例えば、ゲージを遊技盤上に多数設けたり、その配置を工夫したりすることにより、球の挙動を多様に変化させることができる。それにより、球の挙動に意外性を加味することができ、遊技の面白みを一層高めることが可能となる。
【０００５】
また、特許文献１に示すように、遊技盤面上に振り分け部材を設けて球の挙動に変化を与える遊技機も知られている。特許文献１に記載の遊技機は、左右方向に傾斜（つまり、上方に凸形状。）した庇状の振り分け部材を遊技盤面上に設けて、振り分け部材上での球の転がり方向や、振り分け部材に衝突した球の跳ね返り方向を左右方向に方向付けることで、球の挙動に変化を与えている。そして、球の振り分けられた方向によって、球の入賞口への流入しやすさを異ならせることで、球の振り分け方向に対する遊技者の興味を惹き付け、興趣向上を図っている。
【０００６】
【特許文献１】特開平１０−２６３１４９号公報
【発明の開示】
【発明が解決しようとする課題】
【０００７】
しかしながら、ゲージや特許文献１に示す遊技機が備えた振り分け部材では、遊技媒体としての球は左右方向に振り分けられるだけであり、遊技媒体の挙動は単純であり、その変化に乏しく、遊技者に飽きられやすいという問題があった。
【０００８】
また、遊技媒体の挙動が単純であるので、遊技者は球が振り分け装置に到達する前にある程度その振り分け方向を予測できてしまう場合もあり、球の振り分けに対する遊技者の興味は減退し、充分に興趣を向上することができていなかった。
【０００９】
本発明は上記の事情に鑑みて為されたもので、遊技媒体の振り分け遊技を、立体形状とされた振り分け部材の立体内部で行うとともに、振り分け部材の動作によって振り分け確率を変更することで、目新しさや意外性があり、興趣性の高い振り分け遊技を行うことができる遊技機を提供することを例示的課題とする。
【課題を解決するための手段】
【００１０】
上記の課題を解決するために、本発明の例示的側面としての遊技機は、遊技媒体の流下による遊技を実現する遊技領域が形成された遊技装置体と、遊技領域の所定位置に設けられてかつ光透過性を有してその立体内部が外部より視認可能とされた立体形状の振り分け部材と、振り分け部材の傾斜角度を変化させる駆動手段と、駆動手段を制御して振り分け部材の傾斜角度を定める制御手段と、遊技領域の所定位置に設けられ、遊技媒体の入賞が抽選の契機となる抽選入賞口と、抽選入賞口への入賞を契機として、通常遊技より遊技者に有利な状態である特別遊技へ移行するか否かを判定するための当否抽選を実行する当否抽選手段と、を備え、振り分け部材は、遊技領域を流下する遊技媒体を立体内部に受け入れる流入口と、立体内部の遊技媒体を立体外部に流出させる複数の流出口と、立体内部に配置され、流入口より受け入れた遊技媒体を各流出口へと振り分ける振り分け部と、を有し、制御手段は、当否抽選の結果が当たりである場合に、駆動手段を制御して振り分け部材の傾斜角度を変化させる。
【００１１】
遊技媒体が立体形状の振り分け部材の立体内部で振り分けられるので、立体内部で遊技媒体の振り分けを行うという、新規な遊技演出が可能となる。振り分け部材の立体内部が立体外部から視認可能であるので、振り分け部材内部で振り分けられる遊技媒体の挙動を、遊技者に対して視覚を通じて楽しませることができる。
【００１２】
また、当否抽選の結果が当たりである場合には、振り分け部材の傾斜角度が変化し、遊技者に有利な特別遊技となる。したがって、遊技者は、当りとなった場合に、振り分け部材の動きや立体内部にある遊技媒体の挙動の変化に加えて、特別遊技を楽しむことができる。特別遊技において、多量の景品球獲得が可能となるように構成すれば、遊技者の興趣を一層高めることができる。
【００１３】
また、振り分け部材の傾斜角度を変化させることにより、遊技者が遊技媒体の振り分け先を予測することを困難にすることができる。ここで、振り分け部材の傾斜角度を変化させるとは、振り分け部材の立体中心を通る鉛直軸の角度を変化させることをいい、例えば、振り分け部材をその立体中心を通る水平軸を中心に所定角度回転させることをいう。
【００１４】
制御手段は、駆動手段を制御して振り分け部材の傾斜角度を変化させることにより、遊技領域を流下する遊技媒体を前記流出口から立体内部に受け入れるとともに、立体内部に受け入れた遊技媒体を前記流入口から立体外部に流出させてもよい。流出口から遊技媒体が流入し、流入口から遊技媒体が流出するので、遊技媒体の挙動は遊技者の意表を突くものになるし、意外性の高い遊技演出とすることができる。
【００１５】
振り分け部材は、抽選入賞口の上方に配置され、制御手段は、当否抽選手段の結果が当たりである場合に、駆動手段を制御して振り分け部材の傾斜角度を変化させ、抽選入賞口への入賞確率を変化させてもよい。
【００１６】
当否抽選の結果が当りとなると、振り分け部材の傾斜角度が変化し、抽選入賞口への入賞確率が変化する。したがって、遊技者は、当りとなった場合に、振り分け部材の動きや立体内部にある遊技媒体の挙動の変化を楽しむだけでなく、抽選入賞口への入賞確率の変化を楽しむことができる。振り分け部材の傾斜角度を変化させることにより、動作的な目新しさに加え、抽選入賞口への入賞確率の変更という興趣を遊技者に付与することができる。当りとなった場合に入賞確率が高くなるように構成すれば、遊技者は、より多くの遊技媒体を入賞させることができ、より多くの当否抽選を受けることができるようになる。
【００１７】
本発明の更なる目的又はその他の特徴は、以下添付図面を参照して説明される好ましい実施の形態によって明らかにされるであろう。
【発明の効果】
【００１８】
本発明によれば、立体形状の振り分け部材を使用して遊技媒体の振り分けを行うことで、立体内部に受け入れられた遊技媒体の挙動を遊技者が視覚を通じて楽しむことができるようになる。
【００１９】
さらに、振り分け部材の傾斜角度を変化させることで、遊技媒体の挙動を一層変化に富んだものにしたり、遊技媒体の振り分け確率を変更したりすることで、遊技者に飽きられにくく興趣性の高い遊技機とすることができる。
【発明を実施するための最良の形態】
【００２０】
［実施の形態１］
以下、本発明の実施の形態１について図面を用いて説明する。図１は、本発明の実施の形態１に係る遊技機としてのパチンコ機２の外観を示す外観斜視図である。パチンコ機２は、筐体枠４、遊技盤（遊技装置体）６、機枠８、前面ガラス（前面透明板）１０、装飾枠１２、上皿（球皿）１４、発射ユニット（図示せず。）を有している。遊技盤６の表面側には、さらに振り分けユニットとしての中央装置３４が設けられている。
【００２１】
なお、本願においては、遊技機から遊技者に向かう方向が「前方」であり、前方を向く面が「前面」・「表面」である。逆に遊技者から遊技機に向かう方向が「後方」であり、後方を向く面が「後面」・「裏面」であるとして説明する。また、遊技者から見て左方向が「左」・「左側」であり、遊技者から見て右方向が「右」・「右側」である。
【００２２】
パチンコ機２は、組合せ式パチンコ機、封入循環式パチンコ機、雀球機等を含む。また、遊技機としてはパチンコ機の他に、ゲーム機、アーケードマシン等が概念できる。
【００２３】
筐体枠４は、このパチンコ機２を囲むための枠体であり、平面視略長方形に構成されている。材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠８及び装飾枠１２を揺動支持するためのヒンジ部（揺動支持部）２２が設けられている。
【００２４】
遊技盤６は、このパチンコ機２において、遊技媒体としての球２０の流下による遊技を実現するためのものであり、その表面の遊技盤面６ａ上には遊技領域６ｂが形成されている。遊技盤面６ａには、略円形状に周囲を囲むようにレール飾り２４が取り付けられ、遊技領域６ｂは、このレール飾り２４の内側に形成された内側面２４ａによって囲まれている。
【００２５】
その遊技領域６ｂ内には多数のゲージ（障害釘、図示せず。）、普通入賞口２６、始動入賞口（抽選入賞口）２７、特別入賞口２８、大入賞口３０、アウト口３２、図柄表示部３３、その他の各種役物が配置されている。また、遊技領域６ｂの略中央に中央装置３４が配置されている。なお、ゲージは遊技領域６ｂを流下する球２０の流下方向を変化させるためのものであるが詳細は省略する。
【００２６】
普通入賞口２６は、遊技領域６ｂの複数箇所に形成された入賞口であり、球２０が普通入賞口２６に入賞した際に所定個数の球２０が景品として払い出されるようになっている。
【００２７】
始動入賞口２７は、遊技領域６ｂの中央やや下方に設けられて、当り抽選（当否抽選）の契機となる入賞口である。始動入賞口２７に球２０が入賞すると、図示しない遊技制御手段（当否抽選手段）によって当り抽選が行われるようになっている。当り抽選の結果が小当り又は中当りとなると後述する図柄表示部に特定の表示がなされる。
【００２８】
特別入賞口２８は、遊技領域６ｂの中央上方部に形成されている。特別入賞口２８に入賞した球２０は、遊技盤６の裏面側に送られ、後述する球入口３７ａ（図２（ａ）も参照。）から中央装置３４内に導かれるようになっている。特別入賞口２８は、羽根部材２８ａを有しており、通常遊技中は羽根部材２８ａが閉じられており、球２０が特別入賞口２８に入賞できないようになっている。そして、当り抽選の結果が小当り又は中当りとなった場合に、羽根部材２８ａが開いて、特別入賞口２８に球２０が入賞できるようになる。
【００２９】
大入賞口３０は、遊技領域６ｂの中央下方部に形成されている。大入賞口３０は、球２０を受け入れやすい（入賞しやすい。）開状態と、球２０を受け入れにくい（入賞しにくい。）閉状態とに可変とされている。大入賞口３０は通常遊技中は閉状態とされているが、後述する中央装置３４内に形成された大当り入賞口（Ｖ入賞口ともいう。）に球２０が入賞した際に、大当り遊技として開状態とされ、球２０を受け入れやすい状態となる。大入賞口３０に球２０が入賞した際にも所定個数の球２０が景品として払い出されるようになっている。大当り遊技中は大入賞口３０に多数の球が入賞するため、遊技者は大当り遊技によって多量の景品球を獲得することができる。
【００３０】
アウト口３２は、遊技領域６ｂの中央最下端近傍に形成された開口であり、遊技領域６ｂの最下端まで流下した球２０、すなわちいずれの入賞口２６，２７，２８，３０にも入賞しなかった球２０を流入させるためのものである。アウト口３２に流入した球２０は、パチンコ機２の外部に排出されるようになっている。
【００３１】
図柄表示部３３は、始動入賞口２７の側方に配置されて、当り抽選の結果を報知するための機能を有する。図柄表示部３３には、１から９までの数字が可変表示可能となっており、当り抽選の結果が小当りの場合には「３」が、中当りの場合には「７」が表示されるようになっている。
【００３２】
中央装置３４は、遊技領域６ｂの略中央に配置されて、球２０の振り分け遊技（遊技演出、後に詳説。）を行うための振り分けユニットとしての機能を有する。中央装置３４は、図２（ａ）に示すように外枠３４ａ、球体クルーン（振り分け部材）３６、モータ（駆動手段）３８を有して構成されている。
【００３３】
外枠３４ａは、その前面が開放された箱状に形成されており、その内部に球体クルーン３６を保持している。したがって、内部に保持された球体クルーン３６を遊技者は前面側から視認することができる。
【００３４】
球体クルーン３６の周囲を囲む外枠３４ａの壁面のうち、球体クルーン３６の下方に位置する底面３５は、左底面３５ａ、中底面３５ｂ、右底面３５ｃとから構成されている。左底面３５ａ上と右底面３５ｃ上とにはそれぞれ外れ入賞口４２が形成され、中底面３５ｂ上には大当り入賞口４０が形成されている。左底面３５ａはその略中央に形成された外れ入賞口４２に向けて傾斜がつけられており、左底面３５ａ上に落下した球２０は外れ入賞口４２に転がり落ちるようになっている。中底面３５ｂ、右底面３５ｃも同様に、その略中央に形成された大当り入賞口４０、外れ入賞口４２に向けて傾斜がつけられており、中底面３５ｂ上、右底面３５ｃ上に落下した球２０は大当り入賞口４０、外れ入賞口４２に転がり落ちるようになっている。したがって、底面３５上に落下した球は、各底面の傾斜によって、大当り入賞口４０又は外れ入賞口４２のいずれかの入賞口に入賞するようになっている。
【００３５】
大当り入賞口４０は、中央装置３４内の中底面３５ｂの略中央に形成された入賞口である。大当り入賞口４０に球２０が入賞すると、大当り遊技が開始され、大入賞口３０が開状態とされるようになっている。したがって、遊技者はこの大当り入賞口４０への球２０の入賞を目指して遊技を行うのである。
【００３６】
外れ入賞口４２は、中央装置３４内の左底面３５ａ、右底面３５ｃにそれぞれ形成された入賞口である。大当り入賞口４０と同様に底面３５の一部に形成された入賞口であるが、外れ入賞口４２に球２０が入賞しても大当り遊技となることはなく、所定個数の球２０が景品球として払い出されるだけである。
【００３７】
球体クルーン３６の周囲を囲む外枠３４ａの壁面のうち、球体クルーン３６の上方に位置する天井面３７には、球入口３７ａが形成されている。球入口３７ａは、特別入賞口２８に入賞した球２０を外枠３４ａ内に受け入れるために形成された開口であり、球入口３７ａに受け入れられた球２０は、案内路３７ｂを通って球体クルーン３６に形成された流入口３６ａ（後に詳説。）に案内される。
【００３８】
球体クルーン３６は、光透過性を有してその立体内部が外部より視認可能とされた球体形状の部材である。球体クルーン３６の表面には流入口３６ａが形成されている。流入口３６ａは、外部より視認可能とされた球体クルーン３６の立体内部に球２０を受け入れるために球体クルーン３６の表面に形成された開口である。流入口３６ａは、常態において最上部となる位置に形成されて、案内路３７ｂからの球２０を球体クルーン３６の立体内部に受け入れる。
【００３９】
球体クルーン３６の立体内部には振り分けステージ３６ｂが形成されている。振り分けステージ３６ｂは、球体クルーン３６の立体中心を通るように水平に切断した切断面として形成されている。ここで、立体中心とは立体の重心に略一致する点をいう。振り分けステージ３６ｂには、第１開口５０ａ、第２開口５０ｂ、第３開口５０ｃが形成されている。第１開口５０ａ、第２開口５０ｂ、第３開口５０ｃは、それぞれ第１通路５２ａ、第２通路５２ｂ、第３通路５２ｃを介して第１流出口（流出口）５４ａ、第２流出口（流出口）５４ｂ、第３流出口（流出口）５４ｃに繋がっている。
【００４０】
第１開口５０ａは、振り分けステージ３６ｂのやや前方に位置するように形成された開口である。第１流出口５４ａは球体クルーン３６の表面に形成された開口であり、常態において、球体クルーン３６の最下部かつ中底面３５ｂの上方に位置するように形成されている。したがって、第１開口５０ａに流入した球２０は、第１通路５２ａを通って、第１流出口５４ａから球体クルーン３６の立体外部に流出するので、大当り入賞口４０に入賞しやすい中底面３５ｂ上に落下する。つまり、第１開口５０ａへ球２０が流入すれば大当り遊技となる可能性が高く遊技者の期待も高まる。
【００４１】
第２開口５０ｂは、第１開口５０ａよりもやや後方に形成された開口である。第２流出口５４ｂは、球体クルーン３６の表面に形成された開口であり、常態において、球体クルーン３６の下部であって、左側方に位置するように形成されている。したがって、第２開口５０ｂに流入した球２０は、第２通路５２ｂを通って、第２流出口５４ｂから球体クルーン３６の立体外部に流出するので、外れ入賞口４２に入賞しやすい左底面３５ａ上に落下する。つまり、第２開口５０ｂへ球２０が流入すると、大当り遊技となる可能性は低くなる。
【００４２】
第３開口５０ｃも、第２開口５０ｂと同様に第１開口５０ａよりもやや後方に形成された開口である。第３流出口５４ｃは、球体クルーン３６の表面に形成された開口であり、常態において、球体クルーン３６の下部であって、右側方に位置するように形成されている。したがって、第３開口５０ｃに流入した球２０は、第３通路５２ｃを通って、第３流出口５４ｃから球体クルーン３６の立体外部に流出するので、外れ入賞口４２に入賞しやすい右底面３５ｃ上に落下する。つまり、第３開口５０ｃへ球２０が流入すると、大当り遊技となる可能性は低くなる。
【００４３】
このように、振り分けステージ３６ｂ、各開口５０ａ，５０ｂ，５０ｃ、各通路５２ａ，５２ｂ，５２ｃは協働して、流入口３６ａより受け入れた球２０を各流出口５４ａ，５４ｂ，５４ｃへと振り分ける振り分け部としての機能を発揮している。
【００４４】
球体クルーン３６の表面には左右両側方に向けて延びる軸部３６ｃが形成されている。軸部３６ｃは、外枠３４ａの側部に配置されたモータ３８に連結されている。
【００４５】
モータ３８は、図示しない遊技制御手段（制御手段）によって、その回転量や、回転速度が制御されている。モータ３８は、当り抽選の結果が中当りとなった場合に、軸部３６ｃを矢印Ｘに示す方向に回転駆動するように制御され、球体クルーン３６の傾斜角度を所定角度変化させる。球体クルーン３６が、モータ３８の作用により回転駆動すると、図２（ｂ）に示すように振り分けステージ３６ｂの前方側が下がる。すると、振り分けステージ３６ｂ上の球２０は、前方に転がるようになり、第１開口５０ａ、第２開口５０ｂ、第３開口５０ｃのうち最も前方に位置する第１開口５０ａに流入しやすくなる。
【００４６】
したがって、球体クルーン３６内部に受け入れられた球２０が第１開口５０ａに流入し、第１流出口５４ａから中底面３５ｂ上に向けて流出する確率、つまり大当り入賞口４０に入賞して大当り遊技となる確率が高まる。モータ３８は、球体クルーン３６の傾斜角度を変化させることによって、振り分けステージ３６ｂ上の球２０の流出先、つまり各流出口５４ａ，５４ｂ，５４ｃへの振り分け確率を変更する確率変更部としての機能を発揮する。
【００４７】
以上のように、遊技制御手段は、当り抽選の結果が小当りとなった場合には特別入賞口２８の羽根部材２８ａを開いて球２０の入賞を可能にするだけであるが、中当りとなった場合には特別入賞口２８の羽根部材２８ａを開くとともに、モータ３８を駆動して球体クルーン３６の傾斜角度を変化させるようになっている。つまり、本実施の形態１では、中当りの当選によって、遊技者に有利な状態である特別遊技（振り分けステージ３６ｂが傾いた上体での振り分け遊技。）に移行する。
【００４８】
本実施の形態１では、振り分けステージ３６ｂの前方側を下方に移動するように球体クルーン３６の傾斜角度を変化させているが、逆に振り分けステージ３６ｂの後方を下方に移動するように傾斜角度を変化させてもよい。この場合には、振り分けステージ３６ｂ上の球２０は後方に転がるようになるため、第１流出口５４ａに球２０が振り分けられる確率が低くなる。
【００４９】
このように球体クルーン３６内に受け入れられた球２０は、その立体内部での振り分け過程において、前後左右上下方向様々に移動することとなる。したがって、遊技者は三次元的に移動する球２０の挙動を球体クルーン３６の外部から楽しみつつ、球２０がいずれの流出口に振り分けられるかに高い期待感をもって注目することができる。そして、この振り分けユニットである中央装置による振り分け遊技は、非常に目新しく興趣性の高いものとなる。
【００５０】
なお、本実施の形態１では、振り分け部材を球体形状としているが、他にも直方体形状や立方体形状、円柱形状、三角柱形状等の球体とは異なる立体形状としても構わない。
【００５１】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部２２において筐体枠４に揺動支持され、筐体枠４に対して前面開閉可能とされている。
【００５２】
機枠８は、樹脂又は金属によって形成され、その後面側には裏機構盤（図示せず。）が配置される。その裏機構盤には、入賞球を計数して排出処理する入賞球処理装置（図示せず。）、景品としての球を計数して払い出す景品球払出装置（図示せず。）等が配置されている。
【００５３】
発射ユニットは、機枠８に取り付けられている。発射ユニットは、球供給装置によって送り出されて球発射位置に停止保持される球２０を遊技盤６（遊技領域６ｂ）の上部に向けて発射するためのものである。発射ユニットは、例えば球発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成されている。
【００５４】
前面ガラス１０は、遊技盤６に対して一定距離以上離間して配置された透明板である。前面ガラス１０は透明平板ガラスで形成され、遊技盤６との間に球２０が流下する流下スペースを形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００５５】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６とともに機枠８に保持されるように構成されていてもよい。
【００５６】
装飾枠１２は、筐体枠４に対して前面開閉可能に揺動支持された枠体である。本実施の形態１においては、装飾枠１２はヒンジ部２２において機枠８とともに揺動支持されている。
【００５７】
上皿１４は、球２０を発射ユニットに導くべく貯留するためのもので、下皿１５とともに遊技者の持ち球を貯留する機能を有する。上皿１４は、パチンコ機２の前面であって遊技盤６の下方、すなわち装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの球皿が構成されていてもよい。
【００５８】
上皿１４は、景品球としてパチンコ機２から払い出された球２０を受け取る機能や、その球２０を球供給装置（いわゆる整流器、図示せず。）を介して発射ユニットに導くべく貯留する機能を有している。また、遊技者が遊技を終了する場合に、球排出ボタン１４ｂによって下皿１５へと球２０を排出することができるようになっている。
【００５９】
発射ユニットは、球供給装置によって上皿１４から発射位置に送り出された球２０を遊技領域６ｂの上部に向けて発射（弾球）するためのものである。発射ユニットは、例えば発射位置の球２０を弾球する発射杆、その発射杆を駆動する発射モータ、発射杆を付勢して弾球のための力を発生させる発射バネ等を有してユニット構成され、機枠８に取り付けられている。その発射ユニットによる球発射のため、遊技者の操作に基づいて球発射のオンオフ及びその発射強度調整を実現する発射ハンドル４６がパチンコ機２の前面下方に設けられているが、詳細は省略する。
【００６０】
次に、図３のフローチャートを用いて、このパチンコ機２が中央装置３４を用いて行う、球２０の振り分け遊技の流れを説明する。
【００６１】
遊技者が発射ハンドル４６を操作して球２０を発射し（Ｓ．１）、その球２０が始動入賞口２７に入賞すると（Ｓ．２）、当り抽選が行われる（Ｓ．３）。当り抽選の結果が小当りであれば（Ｓ．４）、特別入賞口２８の羽根部材２８ａが開く（Ｓ．５）。当り抽選の結果が中当りであれば（Ｓ．６）、球体クルーン３６の傾斜角度が変化して振り分けステージ３６ｂが傾斜し（Ｓ．７）、特別入賞口２８の羽根部材２８ａが開く（Ｓ．５）。特別入賞口２８に球２０が入賞して、球体クルーン３６の立体内部に球２０が受け入れられると（Ｓ．８）、振り分けステージ３６ｂ上で球２０の振り分けが行われる（Ｓ．９）。
【００６２】
この振り分けの結果、球２０が大当り入賞口４０に入賞した場合には（Ｓ．１０）、大当り遊技となり、大入賞口３０が開状態とされる（Ｓ．１１）。振り分けの結果、球２０が外れ入賞口４２に入賞した場合には（Ｓ．１０）、所定個数の景品球が払い出される（Ｓ．１２）。
【００６３】
球の振り分け先によって大当り遊技への期待度が大きく異なるため球体クルーン３６内での球２０の振り分けによって遊技者の興趣を高めることができるとともに、振り分け確率が当り抽選の結果によっても変更されるので、当り抽選によっても遊技者の興趣を高めることができる。
【００６４】
なお、本実施の形態１では、球体クルーン３６内部に受け入れられた球２０の振り分け確率を、球体クルーン３６の傾斜角度を変化させることで実現しているが、これに限られず、例えば振り分けステージ３６ｂ上に形成された各開口の開口寸法を可変としてもよい。この場合、各開口の開口寸法を制御することで球２０の流入しやすさを変更させて、振り分け確率を変更することができる。
【００６５】
［実施の形態２］
以下、本発明の実施の形態２について図面を用いて説明する。図４（ａ）は、本発明の実施の形態２に係るパチンコ機が有する振り分けユニットとしての中央装置１３４の正面図である。本発明の実施の形態２に係るパチンコ機は、筐体枠（図示せず。）、遊技盤（遊技装置体、図示せず。）、機枠（図示せず。）、前面ガラス（前面透明板、図示せず。）、装飾枠（図示せず。）、上皿（図示せず。）、発射ユニット（図示せず。）を有して構成され、遊技盤の表面側には中央装置１３４が設けられている。ここで、中央装置１３４以外はその機能・構成が実施の形態１に記載のものと略同様であり、遊技盤も実施の形態１と同様に、始動入賞口（図示せず。）、特別入賞口（図示せず。）、大入賞口（図示せず。）を有している。
【００６６】
中央装置１３４は、外枠１３４ａ、球体クルーン（振り分け部材）１３６、モータ（駆動手段）１３８を有して構成される。
【００６７】
外枠１３４ａの機能構成は実施の形態１に記載のものと略同様であり、その底面１３５は左底面１３５ａ、中底面１３５ｂ、右底面１３５ｃを有して構成されている。本発明の実施の形態２では、左底面１３５ａ上と、右底面１３５ｃ上とに大当り入賞口１４０が形成され、中底面１３５ｂ上に外れ入賞口１４２が形成され、各底面は各底面上の各入賞口に向けて傾斜している（図４（ｂ）も参照。）。
【００６８】
球体クルーン１３６は、光透過性を有してその立体内部が外部より視認可能とされた球体形状の部材である。球体クルーン１３６の表面には流入口１３６ａが形成されている。流入口１３６ａは、外部より視認可能とされた球体クルーン１３６の立体内部に遊技媒体としての球１２０を受け入れるために球体クルーン１３６の表面に形成された開口である。
【００６９】
球体クルーン１３６の立体内部には振り分けステージ（振り分け部）１３６ｂが形成されている。振り分けステージ１３６ｂは、球体クルーン１３６の高さ方向中央にすり鉢形状で形成されている。振り分けステージ１３６ｂには、第１開口１５０ａ、第２開口１５０ｂが形成されている。第１開口１５０ａ、第２開口１５０ｂは、それぞれ第１通路１５２ａ、第２通路１５２ｂを介して第１流出口（流出口）１５４ａ、第２流出口（流出口）１５４ｂに繋がっている。
【００７０】
第１開口１５０ａは、振り分けステージ１３６ｂの外周に沿った位置に形成された開口である。第１流出口１５４ａは球体クルーン１３６の表面に形成された開口であり、第１開口１５０ａの下方近傍に形成されている。後に詳説するモータ１３８によって球体クルーンが回転された場合に、振り分けステージ１３６ｂ上の球１２０は、遠心力によって振り分けステージ１３６ｂの傾斜に抗して外周に向かって転がる。そして、外周に向かって転がった球１２０は、第１開口１５０ａに流入して第１通路１５２ａを通って第１流出口から外側に向けて流出する。
【００７１】
第２開口１５０ｂは、第１開口１５０ａよりも内側であって振り分けステージ１３６ｂの中央近傍に形成された開口である。第２流出口１５４ｂは、球体クルーン１３６の表面に形成された開口であり、球体クルーン１３６の下方に形成された開口である。第２開口１５０ｂに流入した球１２０は、第２通路１５２ｂを通って第２流出口１５４ｂから球体クルーン１３６の立体外部に流出する。
【００７２】
このように、振り分けステージ１３６ｂ、各開口１５０ａ，１５０ｂ、各流路１５２ａ，１５２ｂは協働して、流入口１３６ａより受け入れた球１２０を各流出口１５４ａ，１５４ｂへと振り分ける振り分け部としての機能を発揮している。
【００７３】
球体クルーン１３６の表面には下方に向けて延びる軸部１３６ｃが形成されている。軸部１３６ｃは、その延長線が球体クルーン１３６の立体中心及び流入口１３６ａの中心を通るように形成されている。そして、軸部１３６ｃは底面１３５の下方に配置されたモータ１３８に連結されている。
【００７４】
モータ１３８は、外枠１３４ａの下方に配置され、軸部１３６ｃを矢印Ｙに示す方向に回転駆動させている。モータ１３８は、球体クルーン１３６を回転させる駆動手段としての機能を有する。球体クルーン１３６は、モータ１３８の作用により回転しても、その立体中心と流入口１３６ａの中心を結ぶ軸を中心に回転するので、流入口１３６ａの位置は変化せず、回転しながら球１２０を立体内部に受け入れることができる。
【００７５】
モータ１３８は、図示しない遊技制御手段（制御手段）によってその回転速度が制御されている。球体クルーン１３６の回転速度が大きければ、球体クルーン１３６内部の球１２０にかかる遠心力も大きくなる。すると、球１２０は振り分けステージ１３６ｂの傾斜に抗して転がり、第１開口１５０ａに流入して、矢印Ｚに示すように第１流出口１５４ａから勢いよく飛び出すことができる。したがって、球１２０は、左底面１３５ａ又は右底面１３５ｃに落下しやすくなる。つまり、球体クルーン１３６の回転速度が大きいと、大当り入賞口１４０に入賞して大当り遊技となる確率が高くなる。
【００７６】
逆に球体クルーン１３６の回転速度が小さければ、球体クルーン１３６内部の球１２０にかかる遠心力も小さくなる。すると、球１２０は、振り分けステージの傾斜に抗することができずに、矢印Ｐに示すように第２開口１５０ｂに流入して第２流出口１５４ｂから落下するか、第１開口１５０ａまでたどり着いたとしても矢印Ｑに示すように勢いなく落下する。したがって、球１２０は、中底面１３５ｂに落下しやすくなり、外れ入賞口１４２に入賞しやすくなる。つまり、球体クルーン１３６の回転速度が小さいと、当り遊技となる確率が低くなる。
【００７７】
したがって、遊技制御手段はモータ１３８の回転速度を制御することにより、球体クルーン１３６内部に受け入れられた球１２０の各流出口１５４ａ，１５４ｂへの振り分け確率を変更する確率変更部としての機能を有する。
【００７８】
本実施の形態２では、当り抽選の結果が中当りとなった場合に、遊技制御手段が、球体クルーン１３６の回転速度を大きくするように制御するようになっている。したがって、中当りとなることによって、大当り遊技となる確率が高まる。つまり、本実施の形態２では、中当りに当選することで、遊技者が有利な状態（球体クルーン１３６の回転速度が大きい状態。）である特別遊技に移行する。
【００７９】
次に、図５のフローチャートを用いて、このパチンコ機が中央装置１３４を用いて行う、球１２０の振り分け遊技の流れを説明する。
【００８０】
遊技者が発射ハンドルを操作して球１２０を発射し（Ｓ．１）、その球１２０が始動入賞口に入賞すると（Ｓ．２）、当り抽選が行われる（Ｓ．３）。当り抽選の結果が小当りであれば（Ｓ．４）、特別入賞口の羽根部材が開く（Ｓ．５）。当り抽選の結果が中当りであれば（Ｓ．６）、球体クルーン１３６の回転速度が大きくなるとともに（Ｓ．７）、特別入賞口の羽根部材が開く（Ｓ．５）。特別入賞口に球１２０が入賞して、球体クルーン１３６の立体内部に球１２０が受け入れられると（Ｓ．８）、振り分けステージ１３６ｂ上で球１２０の振り分けが行われる（Ｓ．９）。
【００８１】
この振り分けの結果、球１２０が大当り入賞口１４０に入賞した場合には（Ｓ．１０）、大当り遊技となり、大入賞口が開状態とされる（Ｓ．１１）。振り分けの結果、球１２０が外れ入賞口１４２に入賞した場合には（Ｓ．１０）、所定個数の景品球が払い出される（Ｓ．１２）。
【００８２】
［実施の形態３］
本発明の実施の形態３について図面を用いて説明する。図６（ａ）は本実施の形態３に係るパチンコ機が有する球体クルーン（振り分け部材）２３６周辺を拡大した部分拡大図である。実施の形態１では、遊技盤（遊技装置体）に形成された遊技領域の中央やや下方に始動入賞口（抽選入賞口）２２７が設けられ、その上方に実施の形態１で説明したものよりも小さく形成された球体クルーン２３６が配置されている。
【００８３】
球体クルーン２３６は、実施の形態１と同様に、光透過性を有してその立体内部が外部より視認可能とされた球体形状の部材として構成されており、流入口２３６ａ、振り分けステージ（振り分け部）２３６ｂ、第１開口（振り分け部）２５０ａ、第２開口（振り分け部）２５０ｂ、第３開口（振り分け部）２５０ｃ、第１通路（振り分け部）２５２ａ、第２通路（振り分け部）２５２ｂ、第３通路（振り分け部）２５２ｃ、第１流出口（流出口）２５４ａ、第２流出口（流出口）２５４ｂ、第３流出口（流出口）２５４ｃを有している。
【００８４】
流入口２３６ａから球体クルーン２３６の立体内部に受け入れられた球（遊技媒体）は、実施の形態１と同様に、振り分けステージ２３６ｂ上で振り分けられて、第１流出口２５４ａ、第２流出口２５４ｂ、第３流出口２５４ｃのいずれかから立体外部に流出するようになっている。なお、遊技盤面を流下する球を流入口に導くべく、遊技盤面上にはゲージやステージ部材が配置されていてもよい。
【００８５】
球体クルーン２３６の下方近傍には始動入賞口（抽選入賞口）２２７が設けられている。本実施の形態３では、始動入賞口２２７には、第１流出口２５４ｃから流出した球だけが入賞できるようになっている。したがって、第１流出口２５４ａが始動入賞口２２７の直近かつ真上に位置するように、球体クルーン２３６のうち、第１流出口２５４ａよりも後方部分は遊技盤に埋め込まれるように配置されている。始動入賞口２２７に球が入賞すると図示しない遊技制御手段（当否抽選手段）によって大当り抽選（当否抽選）が行われる。大当り抽選の結果が大当りとなると、大当り遊技に移行し、図示しない大入賞口が開状態とされ、遊技者が多量の景品球を獲得できるようになっている。つまり、本実施の形態３では、大当りに当選することによって、遊技が遊技者に有利な状態（多量の景品球を獲得できる状態。）である特別遊技（大当り遊技）に移行する。
【００８６】
球体クルーン２３６は、大当り遊技となると、図６（ｂ）に示すように、その上下が反転するまで傾斜角度が変化されるようになっている（以下、反転状態という。）。反転状態では、第１流出口２５４ａ、第２流出口２５４ｂ、第３流出口２５４ｃから立体内部に球が受け入れられ、流入口２３６ａから球が流出するようになる。したがって、反転状態では、通常遊技中に比べ、立体内部への球の入り口が増えて、出口が減ったことになる。
【００８７】
球体クルーン２３６の立体内部に受け入れられた球は必ず流入口２３６ａから流出するようになる。反転状態における流入口２３６ａは、通常遊技中に第１流出口２５４ａがあった場所に位置しており、流入口２３６ａから流出する球は必ず始動入賞口２２７に入賞するようになっている。つまり、反転状態では、始動入賞口２２７への入賞確率が、通常遊技中に比べて高くなる。そして、遊技者は反転状態中に数多くの大当り抽選を受けることができるようになる。
【００８８】
この反転状態は大当り遊技終了後も所定期間継続するように構成されている。したがって、遊技者は大当り遊技終了後において、短時間に多数の大当り抽選を受けることができるようになり、大当り終了後も高い興趣を持続することができる。
【００８９】
なお、球体クルーンの駆動・制御（傾斜角度の変化。）は、実施の形態１と同様に図示しないモータ（駆動手段）、遊技制御手段（制御手段）によって行われるようになっている。
【００９０】
以上、本発明の好ましい実施の形態を説明したが、本発明はこれらに限定されるものではなく、その要旨の範囲内で様々な変形や変更が可能である。
【図面の簡単な説明】
【００９１】
【図１】本発明の実施の形態１に係るパチンコ機の外観斜視図である。
【図２】図１に示すパチンコ機における中央装置の拡大斜視図であって、（ａ）球体クルーンの傾斜角度が変化される前の状態、（ｂ）球体クルーンの傾斜角度が変化された後の状態を示す図である。
【図３】図１に示すパチンコ機が中央装置を用いて行う、球の振り分け遊技の流れを示すフローチャートである。
【図４】本発明の実施の形態２に係るパチンコ機が有する中央装置を表す図であって、（ａ）正面図、（ｂ）Ａ−Ａ断面図である。
【図５】本発明の実施の形態２に係るパチンコ機が、図５に示す中央装置を用いて行う、球の振り分け遊技の流れを示すフローチャートである。
【図６】本発明の実施の形態３に係るパチンコ機が有する球体クルーン周辺を拡大した部分拡大図であって、（ａ）球体クルーンの傾斜角度が変化される前の状態（通常遊技状態）を示す図、（ｂ）球体クルーンの傾斜角度が変化された後の状態（反転状態）を示す図である。
【符号の説明】
【００９２】
Ｐ，Ｑ，Ｘ，Ｙ，Ｚ：矢印
２：パチンコ機（遊技機）
４：筐体枠
６：遊技盤（遊技装置体）
６ａ：遊技盤面
６ｂ：遊技領域
８：機枠
１０：前面ガラス（前面透明板）
１２：装飾枠
１４：上皿（球皿）
１４ｂ：球排出ボタン
１５：下皿
２０：球（遊技媒体）
２２：ヒンジ部（揺動支持部）
２４：レール飾り
２４ａ：内側面
２６：普通入賞口
２７：始動入賞口（抽選入賞口）
２８：特別入賞口
２８ａ：羽根部材
３０：大入賞口
３２：アウト口
３３：図柄表示部
３４：中央装置
３４ａ：外枠
３５：底面
３５ａ：左底面
３５ｂ：中底面
３５ｃ：右底面
３６：球体クルーン（振り分け部材）
３６ａ：流入口
３６ｂ：振り分けステージ（振り分け部）
３６ｃ：軸部
３７：天井面
３７ａ：球入口
３７ｂ：案内路
３８：モータ（駆動手段）（確率変更部）
４０：当り入賞口
４２：外れ入賞口
４６：発射ハンドル
５０ａ：第１開口（振り分け部）
５０ｂ：第２開口（振り分け部）
５０ｃ：第３開口（振り分け部）
５２ａ：第１通路（振り分け部）
５２ｂ：第２通路（振り分け部）
５２ｃ：第３通路（振り分け部）
５４ａ：第１流出口（流出口）
５４ｂ：第２流出口（流出口）
５４ｃ：第３流出口（流出口）
１２０：球
１３４：中央装置（振り分けユニット）
１３４ａ：外枠
１３５：底面
１３５ａ：左底面
１３５ｂ：中底面
１３５ｃ：右底面
１３６：球体クルーン（振り分け部材）
１３６ａ：流入口
１３６ｂ：振り分けステージ（振り分け部）
１３６ｃ：軸部
１３８：モータ（駆動手段）
１４０：大当り入賞口
１４２：外れ入賞口
１５０ａ：第１開口（振り分け部）
１５０ｂ：第２開口（振り分け部）
１５２ａ：第１通路（振り分け部）
１５２ｂ：第２通路（振り分け部）
１５４ａ：第１流出口（流出口）
１５４ｂ：第２流出口（流出口）
２２７：始動入賞口（抽選入賞口）
２３６：球体クルーン（振り分け部材）
２３６ａ：流入口
２３６ｂ：振り分けステージ（振り分け部）
２５０ａ：第１開口（振り分け部）
２５０ｂ：第２開口（振り分け部）
２５０ｃ：第３開口（振り分け部）
２５２ａ：第１通路（振り分け部）
２５２ｂ：第２通路（振り分け部）
２５２ｃ：第３通路（振り分け部）
２５４ａ：第１流出口（流出口）
２５４ｂ：第２流出口（流出口）
２５４ｃ：第３流出口（流出口）
【図１】
2008237456.tif 000003
【図２】
2008237456.tif 000004
【図３】
2008237456.tif 000005
【図４】
2008237456.tif 000006
【図５】
2008237456.tif 000007
【図６】
2008237456.tif 000008